(57)【要約】      （修正有）【課題】既存のペーパーホルダーに取り付け可能で、片手による紙の切断を可能としうる補助具を提供する。【解決手段】この補助具１６は、アームを備えており、このアームをロール紙の貫通孔に挿入させてこのロール紙がその下側から前方に紙が引き出されるように取り付けられるペーパーホルダーに使用される。補助具１６は、プレート状の基部１８と、上記ロール紙の外側においてそれぞれが上記アームに吊り下げられる一対のハンガー２０と、両ハンガー２０の間に架け渡されておりこのロール紙から引き出された紙に当接しうるロッド２２と、基部１８の下面に固定されておりこの引き出された紙を切断しうるブレード２４とを備えている。補助具１６は、既存のペーパーホルダーに取り付け可能で、片手による紙の切断を可能とする。【選択図】図１
0003158347.tif 000002
【実用新案登録請求の範囲】
【請求項１】
アームを備えており、このアームをロール紙の貫通孔に挿入させてこのロール紙がその下側から前方に紙が引き出されるように取り付けられるペーパーホルダーに使用される補助具であって、
プレート状の基部と、上記ロール紙の外側においてそれぞれが上記アームに吊り下げられる一対のハンガーと、両ハンガーの間に架け渡されておりこのロール紙から引き出された紙に当接しうるロッドと、この基部の下面に固定されておりこの引き出された紙を切断しうるブレードとを備えている補助具。
【請求項２】
上記ペーパーホルダーにおいて、上記ロール紙がその後方に位置する壁から離間して配置されており、
上記ハンガーが上記アームに吊り下げられると、上記基部の後端がこの壁に当接しうるように構成されている請求項１に記載の補助具。
【請求項３】
上記基部が、上記ブレードを覆うように配置された一対のプロテクターをさらに備えており、
両プロテクターが、間隔を空けて配置されている請求項１又は２に記載の補助具。
【考案の詳細な説明】
【技術分野】
【０００１】
本考案は、ペーパーホルダー用補助具に関する。
【背景技術】
【０００２】
トイレットペーパーとしては、通常、紙が巻回されて形成されたロール紙が用いられる。ロール紙は、ペーパーホルダーに取り付けて、使用される。
【０００３】
図４には、ロール紙２がペーパーホルダー４に取り付けられている状況が示されている。ペーパーホルダー４は、アーム６及び蓋８を備えている。アーム６は、棒状である。アーム６は、ロール紙２の貫通孔１０に挿入される。アーム６は、ロール紙２を支持しうる。蓋８は、アーム６で支持されたロール紙２に載せられる。
【０００４】
図４において、符号Ｐで示されているのは、ロール紙２から引き出された紙１２の先端部分である。ロール紙２は、通常、その上側から前方に紙１２が引き出されるようにペーパーホルダー４に取り付けられる。ユーザーは、一方の手でこの先端部分Ｐを掴み、紙１２を引き出す。ユーザーは、蓋８の縁１４を利用してこの紙１２を切断する。
【０００５】
図４において、二点鎖線は切断途中にある紙１２を表している。図示されているように、切断に際し、紙１２は上方に引き上げられる。このとき、蓋８が持ち上がるので、ユーザーは他方の手でこの蓋８を押さえる。このペーパーホルダー４では、紙１２の切断に際し、両手を使うことが前提とされている。片手が不自由な人は、紙１２を引き出しつつ蓋８を押さえることができないので、紙１２を切断できない場合がある。片手が不自由な人は、介護者に頼らなければ用を足せないのが現状である。
【０００６】
片手で使用することが考慮されたペーパーホルダー４について、様々な検討がなされている。この検討の一例が、特開２００６−３２６０５９公報に開示されている。
【先行技術文献】
【特許文献】
【０００７】
【特許文献１】特開２００６−３２６０５９公報
【考案の概要】
【考案が解決しようとする課題】
【０００８】
本考案はこのような情勢に鑑みてなされたものであり、既存のペーパーホルダーに取り付け可能で、片手による紙の切断を可能としうる補助具の提供を目的としている。
【課題を解決するための手段】
【０００９】
本考案に係る補助具は、アームを備えており、このアームをロール紙の貫通孔に挿入させてこのロール紙がその下側から前方に紙が引き出されるように取り付けられるペーパーホルダーに使用される。この補助具は、プレート状の基部と、上記ロール紙の外側においてそれぞれが上記アームに吊り下げられる一対のハンガーと、両ハンガーの間に架け渡されておりこのロール紙から引き出された紙に当接しうるロッドと、この基部の下面に固定されておりこの引き出された紙を切断しうるブレードとを備えている。
【００１０】
好ましくは、上記ロール紙がその後方に位置する壁から離間して配置されたペーパーホルダーにおいて、この補助具は、上記ハンガーが上記アームに吊り下げられると、上記基部の後端がこの壁に当接しうるように構成されている。
【００１１】
好ましくは、この補助具では、上記基部は上記ブレードを覆うように配置された一対のプロテクターをさらに備えている。両プロテクターは、間隔を空けて配置されている。
【考案の効果】
【００１２】
本考案に係る補助具は、既存のペーパーホルダーに取り付け可能である。この補助具によれば、片手でロール紙から紙を引き出し、これを容易に切断することができる。
【図面の簡単な説明】
【００１３】
【図１】図１は、本考案の一実施形態に係るペーパーホルダー用補助具が示された斜視図である。
【図２】図２は、図１のII−II線に沿った断面図である。
【図３】図３は、図１の補助具の使用状況が示された側面図である。
【図４】図４は、従来の、ロール紙の使用状況が示された断面図である。
【考案を実施するための形態】
【００１４】
以下、適宜図面が参照されつつ、好ましい実施形態に基づいて本考案が詳細に説明される。
【００１５】
図１及び図２に示された補助具１６は、ペーパーホルダー４（図示されず）に取り付けられる。補助具１６は、基部１８と、ハンガー２０と、ロッド２２と、ブレード２４と、プロテクター２６とを備えている。なお、図１において、両矢印Ａが幅方向であり、両矢印Ｂが前後方向である。図２においては、その左側が前側であり、その右側が後側である。
【００１６】
基部１８は、プレート状である。基部１８は、略矩形である。ハンガー２０は、この基部１８の幅方向外側の縁２８において、この基部１８から上向きに延在している。ハンガー２０は、その上側にフック３０を備えている。このフック３０は、主部３２と、副部３４とを備えている。主部３２は、上向きに窪んだ部分である。この補助具１６では、主部３２は直線状に延在する３つの縁３６から構成されている。副部３４は、主部３２の底縁３６ａから上向きにさらに窪んだ部分である。この副部３４の縁３８は、湾曲している。より詳細には、この副部３４の縁３８は円弧状である。この副部３４は、主部３２の幅よりも狭い幅を有している。
【００１７】
図１に示されているように、この補助具１６では、ハンガー２０は基部１８の左右の縁２８それぞれに設けられている。この補助具１６は、一対のハンガー２０を備えている。これらハンガー２０は、幅方向に離間して配置されている。
【００１８】
ロッド２２は、幅方向に延在している。ロッド２２は、左右のハンガー２０の間に架け渡されている。このロッド２２の長さは、ロール紙２（図示されず）の幅と同等以上である。ロッド２２は、フック３０の下側に位置している。このロッド２２は、基部１８と間隔を空けて配置されている。ロッド２２は、ハンガー２０の下側に設けられた孔４０に通されている。このロッド２２の先端には、キャップ４２が嵌め込まれている。
【００１９】
ブレード２４は、幅方向に延在している。図示されていないが、このブレード２４の長さはロール紙２の幅と同等である。ブレード２４は、前述のロッド２２よりも前方に位置している。ブレード２４は、基部１８の先端に配置されている。図示されているように、ブレード２４の一部が基部１８の先端から突出している。この補助具１６では、ブレード２４は粘着テープ４４を用いて基部１８の下面４６に固定されている。
【００２０】
プロテクター２６は、基部１８の先端部分に位置している。プロテクター２６は、基部１８と間隔を空けて配置されている。プロテクター２６は、基部１８の縁２８から幅方向内向きに延在している。図２に示されているように、プロテクター２６の先端部分は前方に向かって下向きに傾斜して延在している。プロテクター２６は、ブレード２４の上側に位置している。プロテクター２６は、ブレード２４を覆っている。プロテクター２６は、ブレード２４と間隔を空けて配置されている。
【００２１】
図１に示されているように、この補助具１６では、２枚のプロテクター２６が幅方向に離間して配置されている。換言すれば、この補助具１６は、一対のプロテクター２６を備えている。
【００２２】
この補助具１６では、図２に示されているように、基部１８は、左右の縁２８それぞれに開口４８を備えている。この開口４８の形状は、ハンガー２０の下側部分における断面の形状に対応している。ハンガー２０は、基部１８の下側からこの開口４８に通されている。ハンガー２０は、その下端にストッパー５０を備えている。このストッパー５０は、この開口４８よりも大きい。このため、基部１８に対してハンガー２０を上向きに引き上げても、このハンガー２０がこの開口４８から抜けることはない。このストッパー５０は、基部１８のハンガー２０からの脱落を防止しうる。
【００２３】
図３には、補助具１６の使用状況が示されている。この図３において、補助具１６は既存のペーパーホルダー４に取り付けられている。ペーパーホルダー４は、アーム６及び蓋８以外に、壁５２に取り付けられる固定板５４と、この固定板５４の端から前方に延在する一対の側板５６とを備えている。アーム６は、両側板５６の間に架け渡されている。
【００２４】
このペーパーホルダー４には、ロール紙２としてのトイレットペーパーが取り付けられている。ロール紙２は、紙１２が巻回されて形成されている。アーム６は、ロール紙２の幅方向に延在する貫通孔１０に挿入されている。アーム６は、ロール紙２を支持しうる。アーム６の直径が貫通孔１０の内径よりも小さいので、このロール紙２は回動可能にこのペーパーホルダー４に取り付けられている。蓋８は、ロール紙２に載せられている。図示されているように、この補助具１６の使用に際して、ロール紙２はその下側から紙１２が前方に引き出されるように取り付けられている。
【００２５】
この補助具１６では、ハンガー２０はロール紙２の幅方向外側においてアーム６に吊り下げられる。この吊り下げにより、この補助具１６がペーパーホルダー４に取り付けられる。この取り付けは、容易である。
【００２６】
図示されているように、この補助具１６では、ハンガー２０のフック３０に設けられた主部３２がアーム６に掛けられている。アーム６の外径が小さいときは、このフック３０の副部３４にアーム６が掛けられる。この補助具１６は、アーム６の外径が異なる、様々なペーパーホルダー４に取り付け可能である。この補助具１６は、汎用性に優れている。
【００２７】
この補助具１６では、ロール紙２の下側から前方に引き出された紙１２は、ロッド２２と基部１８との間を通される。この紙１２は、プロテクター２６とブレード２４との間をさらに通される。ユーザーは、このプロテクター２６とブレード２４との間を通過した紙１２の先端部分を掴み、紙１２をロール紙２から引き出す。
【００２８】
この補助具１６では、ロール紙２から引き出された紙１２はロッド２２に当接する。このロッド２２は、丸棒からなる。紙１２は、このロッド２２の表面を滑りつつロール紙２から引き出される。このロッド２２は、紙１２の円滑な引き出しに寄与しうる。
【００２９】
前述したように、ブレード２４は基部１８の下面４６に固定されている。この補助具１６では、紙１２は、ロール紙２から引き出されるとき、基部１８の上面５８に当接する。この基部１８の上面５８は、円滑である。紙１２は、この基部１８の上面５８を滑りつつロール紙２から引き出される。この補助具１６では、紙１２の引き出し時における、紙１２とブレード２４との接触が効果的に防止されている。この補助具１６によれば、ロール紙２から紙１２が円滑に引き出されうる。このため、片手が不自由な人でも容易に紙１２を引き出すことができる。
【００３０】
ユーザーは、必要な長さの紙１２を引き出すと、この紙１２を下向きに引っ張る。この下向きへの引張により、紙１２がブレード２４に当接する。この当接により、紙１２が切断される。この切断時において、紙１２は基部１８の先端及びロッド２２において支持される。この支持は、紙１２の位置ずれを抑えうる。この補助具１６では、片手で紙１２を引き出した後そのまま下向きにこれを引っ張るだけで紙１２が切断されうる。この切断は、容易である。この補助具１６によれば、片手で紙１２を引き出し、これを容易に切断できる。片手が不自由な人でも、介護者に頼ることなく用を足すことができる。この補助具１６は、このような人の精神的な負担を軽減しうる。
【００３１】
前述したように、この補助具１６では、２枚のプロテクター２６が幅方向に離間して配置されている。換言すれば、これらプロテクター２６の間には隙間が設けられている。ロール紙２から紙１２を引き出し、この紙１２の先端部分をロッド２２と基部１８との間に通した後、この先端部分を掴みこの隙間に沿って前方に引き出せば、この紙１２をプロテクター２６と基部１８との間に通すことができる。この隙間は、ロール紙２から引き出された紙１２のセットを促す。この補助具１６の使用は、容易である。
【００３２】
図３に示されているように、ペーパーホルダー４に取り付けられたロール紙２は、その後方に位置する壁５２と離間して配置されている。このペーパーホルダー４に取り付けられた補助具１６においては、その基部１８の後端６０が壁５２に当接している。この補助具１６は、ハンガー２０がアーム６に吊り下げられると、基部１８の後端６０が壁５２に当接するように構成されている。この当接は、ロール紙２から紙１２を引き出す際の、補助具１６の動きを抑えうる。補助具１６のペーパーホルダー４に対する位置が安定に保持されるので、紙１２が円滑に引き出され、しかもこの引き出された紙１２が容易に切断されうる。この補助具１６によれば、片手で紙１２を引き出し、これを容易に切断できる。
【００３３】
前述したように、ハンガー２０は、基部１８の開口４８に通されている。このハンガー２０の孔４０を通されたロッド２２は、その先端部分にキャップ４２が嵌め込まれることにより、ハンガー２０に固定されている。この補助具１６の組立は、容易である。キャップ４２を外せば、ハンガー２０からこのロッド２２を取り外し、基部１８からこのハンガー２０を取り外すことができる。この補助具１６の分解も、容易である。しかも、分解することにより、この補助具１６はコンパクトに収納されうる。この補助具１６は、組み立てセットとして販売することも可能である。
【産業上の利用可能性】
【００３４】
以上説明された補助具は、様々なペーパーホルダーにも適用されうる。
【符号の説明】
【００３５】
２・・・ロール紙
４・・・ペーパーホルダー
６・・・アーム
８・・・蓋
１０・・・貫通孔
１２・・・紙
１６・・・補助具
１８・・・基部
２０・・・ハンガー
２２・・・ロッド
２４・・・ブレード
２６・・・プロテクター
３０・・・フック
３２・・・主部
３４・・・副部
４０・・・孔
４２・・・キャップ
４４・・・粘着テープ
４６・・・下面
４８・・・開口
５０・・・ストッパー
５２・・・壁
５４・・・固定板
５６・・・側板
５８・・・上面
６０・・・後端
【図１】
0003158347.tif 000003
【図２】
0003158347.tif 000004
【図３】
0003158347.tif 000005
【図４】
0003158347.tif 000006